(57)【要約】【課題】商品の種類や店舗の状況に応じて、商品の陳列販売装置を多様な態様で柔軟に構築でき、カートリッジの商品の補充タイミングを正確に視認できるようにする。【解決手段】  商品の陳列販売装置（１）において、方形の底板（４）、底板（４）の左右の対向辺に立てた状態で取り付けた同じ大きさの側板（５）により前面および上面で開口するトレーユニット（２）を構成し、このトレーユニット（２）の上面に対して、底板（４）に対向する天板（６）、上方位置に積み上げるトレーユニット（２）の底板（４）のいずれかを着脱自在に取り付けるとともに、左右の側板（５）に隣り合うトレーユニット（２）の連結手段（７）を設け、さらにトレーユニット（２）の内部に複数の商品ストック用のカートリッジ（３）をトレーユニット（２）の前面から引出し可能な状態として収納する。【選択図】図１
2013244311.tif 000002
【特許請求の範囲】
【請求項１】
方形の底板（４）、この底板（４）の左右の対向辺に立てた状態で取り付けた同じ大きさの左右の側板（５）により前面および上面で開口するトレーユニット（２）を構成し、このトレーユニット（２）の上面に対して、底板（４）に対向する天板（６）、上方位置に積み上げるトレーユニット（２）の底板（４）のいずれかを着脱自在に取り付けるとともに、左右の側板（５）に隣り合うトレーユニット（２）の連結手段（７）を設け、さらにトレーユニット（２）の内部に商品ストック用上面開口型の複数のカートリッジ（３）をトレーユニット（２）の前面から引出し可能な状態として収納する、ことを特徴とする商品の陳列販売装置（１）。
【請求項２】
補助底板（８、９）を幅方向にスライド可能な状態として重ねて、底板（４）を構成するとともに、補助天板（１０、１１）を幅方向にスライド可能な状態として重ねて、天板（６）を構成することによって、トレーユニット（２）の幅を変更自在とする、ことを特徴とする請求項１記載の商品の陳列販売装置（１）。
【請求項３】
商品ストック用上面開口型のカートリッジ（３）の底面（１２）に引出し方向の突起（１３）を形成するとともに、トレーユニット（２）の底板（４）に突起（１３）にはまるガイドスリット（１４）を形成し、突起（１３）とガイドスリット（１４）とのはまり合いによってトレーユニット（２）の内部で商品ストック用のカートリッジ（３）を位置決めする、ことを特徴とする請求項１または請求項２記載の商品の陳列販売装置（１）。
【請求項４】
商品ストック用上面開口型のカートリッジ（３）の前面に形成した視認窓（１５）、カートリッジ（３）の内部に前後方向に整列されている商品を前方へ押し出すスライダー（１６）、スライダー（１６）を前方へ付勢するスプリング（１７）、商品（２１）が設定数量以下になったときに、スライダー（１６）に係り合って後方から前方へ移動し前端に補充マーカー（１８）を有する移動体（１９）、スライダー（１６）の前進に連動して補充マーカー（１８）を待機位置から視認窓（１５）の位置へ案内する案内手段（２０）を組み込む、ことを特徴とする請求項１、請求項２または請求項３記載の商品の陳列販売装置（１）。
【請求項５】
案内手段（２０）を、移動体（３７）に形成されている円弧状のガイド孔（２２）と、カートリッジ（３）のケース（４４）に固定され、ガイド孔（２２）の内部に位置するガイドピン（２３）によって構成する、ことを特徴とする請求項４記載の商品の陳列販売装置（１）。
【発明の詳細な説明】
【技術分野】
【０００１】
本発明は、商品、主として各種のたばこを陳列状態として販売する装置に関し、特に、たばこの種類や店舗の販売空間に応じて、多様な形態で組み立て可能な陳列販売装置に関する。
【背景技術】
【０００２】
たばこの陳列販売にあたって、たばこの種類や店舗の販売空間に応じて、それらに適切な陳列販売装置が設置され、また、設置後において、様々な状況の店舗への対応が必要となる。
【０００３】
特許文献１は、フレーム構造とウォール構造とを組み合わせて、多様な態様の陳列システムを構築する、ことを開示している。その陳列システムによると、フレーム構造およびウォール構造が主体となっていることから、これらの構造体を設置できない店舗では、陳列システムの利用は不可能である。
【０００４】
また、特許文献２は、複数のトレーユニットの組み合わせによって、多様な態様の陳列態様の提供を可能としている。しかし、そのトレーユニットによると、各トレーユニットに収容できるカートリッジの数が定まっていて、変更できないため、たばこの種類や店舗の状況に柔軟に対応できない。
【０００５】
さらに、特許文献３は、トレイユニット内のたばこ数の減少時に、前面に着色プレートを突出させて、販売管理者や店員にたばこの補充タイミングを認識させる、ことを開示している。その技術によると、着色プレートが突出する前にも前面から着色プレートを視認できる構成となっているため、誤認が起きやすくなる。
【先行技術文献】
【特許文献】
【０００６】
【特許文献１】特開２００８−８００５２公報
【特許文献２】特開２００８−８００５５公報
【特許文献３】特開２０１２−２４１３１公報
【発明の概要】
【発明が解決しようとする課題】
【０００７】
したがって、本発明の課題は、商品の種類や店舗の状況に応じて、商品の陳列販売装置を多様な態様で柔軟に構築できるようにすることである。また、本発明の他の課題は、カートリッジの商品の補充タイミングを正確に視認できるようにすることである。
【課題を解決するための手段】
【０００８】
上記の課題のもとに、本発明は、商品の陳列販売装置（１）において、方形の底板（４）、この底板（４）の左右の対向辺に立てた状態で取り付けた同じ大きさの左右の側板（５）により前面および上面で開口するトレーユニット（２）を構成し、このトレーユニット（２）の上面に対して、底板（４）に対向する天板（６）、上方位置に積み上げるトレーユニット（２）の底板（４）のいずれかを着脱自在に取り付けるとともに、左右の側板（５）に隣り合うトレーユニット（２）の連結手段（７）を設け、さらにトレーユニット（２）の内部に商品ストック用上面開口型の複数のカートリッジ（３）をトレーユニット（２）の前面から引出し可能な状態として収納している（請求項１）。
【０００９】
本発明は、上記の商品の陳列販売装置（１）において、補助底板（８、９）を幅方向にスライド可能な状態として重ねて、底板（４）を構成するとともに、補助天板（１０、１１）を幅方向にスライド可能な状態として重ねて、天板（６）を構成することによって、トレーユニット（２）の幅を変更自在としている（請求項２）。
【００１０】
また、本発明は、上記の商品の陳列販売装置（１）において、商品ストック用上面開口型の複数のカートリッジ（３）の底面（１２）に引出し方向の突起（１３）を形成するとともに、トレーユニット（２）の底板（４）に突起（１３）にはまるガイドスリット（１４）を形成し、突起（１３）とガイドスリット（１４）とのはまり合いによって、トレーユニット（２）の内部で商品ストック用のカートリッジ（３）を位置決めしている（請求項３）。
【００１１】
さらに本発明は、上記の商品ストック用上面開口型の複数のカートリッジ（３）において、カートリッジ（３）の前面に形成した視認窓（１５）、カートリッジ（３）の内部に前後方向に整列されている商品（２１）を前方へ押し出すスライダー（１６）、スライダー（１６）を前方へ付勢するスプリング（１７）、商品（２１）が設定数量以下になったときに、スライダー（１６）に係り合って後方から前方へ移動し、前端に補充マーカー（１８）を有する移動体（１９）、スライダー（１６）の前進に連動して補充マーカー（１８）を待機位置から視認窓（１５）の位置へ案内する案内手段（２０）を組み込んでいる（請求項４）。上記の案内手段（２０）は、移動体（３７）に形成されている円弧状のガイド孔（２２）と、カートリッジ（３）のケース（４４）に固定され、ガイド孔（２２）の内部に位置するガイドピン（２３）によって構成されている（請求項５）。
【発明の効果】
【００１２】
本発明に係る商品の陳列販売装置（１）によると、１つのトレーユニット（２）に天板（６）を取り付けることによって、単一のトレーユニット（２）が組み立てられ、またトレーユニット（２）に複数のトレーユニット（２）を上方に積み重ね、一番上のトレーユニット（２）に天板（６）を取り付けることによって、複数のトレーユニット（２）が積み重ね状態として組み立てられ、さらに単一のトレーユニット（２）または積み重ね態の複数のトレーユニット（２）を連結手段（７）により側面で連結することによって、設置場所に応じてトレーユニット（２）が上方（縦方向）や側方（横方向）に増減でき、これによって実際の売場スペースや店舗側の要望に適合する適切な商品の陳列販売装置（１）の構築が柔軟に対処でき、しかもトレーユニット（２）の内の複数のカートリッジ（３）が上面開口型であるから、カートリッジ（３）からの商品の取り出しが容易となり、またトレーユニット（２）に対してカートリッジ（３）が引出し可能な状態として収納できるから、商品の補充もトレーユニット（２）の前面から簡単に行える（請求項１）。
【００１３】
本発明に係る商品の陳列販売装置（１）によると、底板（４）および天板（６）がトレーユニット（２）の幅を変更可能とするから、トレーユニット（２）の設置位置や商品の種類に応じて、カートリッジ（３）の収納個数が簡単に変更できる（請求項２）。
【００１４】
また、本発明に係る商品の陳列販売装置（１）によると、カートリッジ（３）の突起（１３）とトレーユニット（２）のガイドスリット（１４）とのはまり合いによって、トレーユニット（２）の内部でカートリッジ（３）が確実に位置決めされるから、あるカートリッジ（３）の引出し過程で、隣のカートリッジ（３）が引き出されることもなく、安定する（請求項３）。
【００１５】
さらに、本発明に係る商品の陳列販売装置（１）のカートリッジ（３）によると、商品（２１）が設定数量以下になったとき、補充マーカー（１８）が待機位置から視認窓（１５）に案内されるから、商品（２１）の補充時期が視覚的に確認でき、これによって欠品が未然に防止でき、しかも待機位置の補充マーカー（１８）が案内手段（２０）の作用によって視認窓（１５）から見えない位置に待機しているため、誤認も少なくなる（請求項４および請求項５）。
【図面の簡単な説明】
【００１６】
【図１】本発明に係る商品の陳列販売装置において、トレーユニット、トレーユニットに収納するカートリッジの斜面図である。
【図２】本発明に係る商品の陳列販売装置において、トレーユニットの側板の差し込み片とトレーユニットの底板の差し込み孔または天板の差し込み孔とのはまり合い部分の拡大断面図である。
【図３】本発明に係る商品の陳列販売装置において、複数のトレーユニットを積み重ね、横方向に連結した状態の斜面図である。
【図４】本発明に係る商品の陳列販売装置において、トレーユニットの幅を変更自在とする例の斜面図である。
【図５】本発明に係る商品の陳列販売装置において、トレーユニットの幅を変更自在とする例の背面の斜面図である。
【図６】本発明に係る商品の陳列販売装置において、トレーユニットに収納するカートリッジの拡大斜面図である。
【図７】本発明に係る商品の陳列販売装置において、トレーユニットに収納するカートリッジの前部分の拡大垂直断面図である。
【図８】本発明に係る商品の陳列販売装置において、トレーユニットの補充マーカーを視認窓に移動させた状態の水平断面図である。
【図９】本発明に係る商品の陳列販売装置において、トレーユニットの補充マーカーを待機位置にあるときの水平断面図である。
【発明を実施するための形態】
【００１７】
図１は、本発明に係る商品の陳列販売装置１を示している。商品の陳列販売装置１は、前面および上面で開口する鋼板製のトレーユニット２と、トレーユニット２の内部にトレーユニット２の前面から引出し可能な状態として収納される複数例えば５個のカートリッジ３からなる。カートリッジ３は、上面開口型のプラスチック成形品であり、内部に商品として通常１３個のパック状態のたばこ２１を収容している。トレーユニット２に対するカートリッジ３の収納個数は、トレーユニット２の幅寸法を設計段階で変更することによって、例示の５個に限らず、４個以下、あるいは６個以上とすることもできる。
【００１８】
トレーユニット２は、例えば長方形の底板４、この底板４の左右の対向辺に立てた状態で取り付けられた同じ大きさの左右の側板５により構成され、前面および上面で開口している。トレーユニット２は、単独で用いるか、もしくは上下の位置に複数積み重ねて用いられるが、トレーユニット２の上面は、天板６を着脱自在に取り付けることによって閉じられか、または積み重ねるトレーユニット２の底板４を着脱自在に取り付けることによって閉じられる。このため、底板４および天板６は、ほぼ同じ大きさのものとして製作されている。なお、トレーユニット２の背面に必要に応じて背板２４があてがわれ、着脱自在に取り付けられる。
【００１９】
このように、トレーユニット２の上面には、積み重ねるトレーユニット２の底板４または天板６が着脱自在に取り付けられる。この着脱自在の取り付けのために、底板４や天板６は、図１および図２に例示するように、左右の側板５の上内側の前後位置に前向きに形成されている着脱用の差し込み片２５と、トレーユニット２の底板４に後ろ向きに形成されている着脱用の差し込み孔２６または天板６に後ろ向きに形成されている着脱用の差し込み孔２７とを前後方向にはまり合わせることによって、トレーユニット２の上面に着脱自在に取り付けられる。図２に例示するように、はまり合い部分の外れ止めのために、必要に応じて、差し込み片２５と、差し込み孔２６、２７とはまり合い面に凸部や凹凸が形成されている。
【００２０】
なお、天板６には、補強のために複数例えば３つの台形溝２８が左右方向に形成されているが、天板６の差し込み孔２７は、前側および後側の台形溝２８の後ろ側の斜面に後ろ向きに形成されている。また、トレーユニット２の底板４は、剛性の付与、カートリッジ３の位置決めのために中央部分で左右方向で中高となっており、その部分でカートリッジ３の底面１２の２本の突起１３にはまり合う複数のガイドスリット１４を形成するとともに、差し込み片２５と対応する位置で底板４の一部で、または別途、底板４に取り付けた部材により差し込み孔２６を形成している。
【００２１】
また、左右の側板５は、隣り合うトレーユニット２を連結するために、連結手段７を有している。図１の具体例において、連結手段７は、左右の側板５の前後の位置に形成した孔、例えばだるま孔２９、プラビスまたは通常の金属製の偏平な頭部の連結ボルト３０、連結ナット３１により構成されている。隣り合うトレーユニット２の連結時に、連結ボルト３０と連結ナット３１とは、隣り合うトレーユニット２の側板５のだるま孔２９の小さな孔の位置でねじ結合し、２つの側板５を締め付け、隣り合うトレーユニット２を連結状態とする。なお、連結ボルト３０と連結ナット３１とは、少しゆるめてからだるま孔２９の大きな孔の位置へ移動させれば、２つの側板５から簡単に離れる。なお、上記の「プラビス」は、ブラスチック製ボルト・ナットであり、ナットに対するボルトの押し込みにより結合し、ボルトのゆるめ方向の回転により分離する。ちなみに、連結手段７は、ねじ結合手段に限らず、他の結合手段、例えばはまり合い形式の結合とすることもできる。
【００２２】
なお、一番外側の側板５に必要に応じて化粧側板３３が取り付けられる。化粧側板３３は、内側面のガイド突部３４と側板５のガイド孔部３５とのはまり合いにより位置決めされて固定されるが、必要に応じて化粧側板３３の内側面のマグネット（永久磁石）を利用し、磁性体の側板５に対して着脱自在に取り付けられる。
【００２３】
そして商品ストック用のカートリッジ３は、商品としてのたばこ２１を前後方向に収容した状態でそれぞれのトレーユニット２の前面から引出し式に収納され、底面１２の２本の突起１３と底板４のガイドスリット１４とのはまり合いによりトレーユニット２の内部に位置決めされる。
【００２４】
トレーユニット２に収納されたカートリッジ３の前端部分は、トレーユニット２の前の開口面に突出しており、底板４は、天板６よりも前方向に張り出している。このため、カートリッジ３の内部の前列の１または２つのたばこ２１は、上方へ取り出しやすいような状態となっている。
【００２５】
図３は、一例として上下方向に５段に積み重ねたトレーユニット２を左右（横）方向に３個連結し、合計１５のトレーユニット２を一体的に組み合わせた状態を示している。合計１５のトレーユニット２には、合計７５個のカートリッジ３が収納できるようになっている。もちろん、トレーユニット２の上下の積み重ね数や、横方向の連結数は、図示のものに限らず、売場面積やたばこ２１の種類に応じて任意に設定できる。
【００２６】
そして、必要に応じてトレーユニット２の上面（天板６）に広告用のデイスプレィ３２が専用のスタンドなどを利用して設置される。デイスプレィ３２は、その表示内容によって、客にたばこ２１の説明を行い、客の購買意欲を喚起する。なお、デイスプレィ３２が小型のものであるとき、中央のトレーユニット２の積み重ね数を隣り合う左右のトレーユニット２の積み重ね数よりも１つ少なくし、１つ少なくした空間の位置に小型のデイスプレィ３２を配置することもできる。
【００２７】
つぎに図４は、トレーユニット２の幅を変更自在とする例を示している。この例によると、底板４は、左右の補助底板８と、それらの間の補助底板９とにより構成されている。左右の補助底板８は、それぞれ左右の側板５に固定されており、中間の補助底板９は、左側の端縁で左側の補助底板８に固定され、右側で右側の補助底板８に対して幅方向（スライド方向）に重なり、補助底板９の例えばスライド長孔３６と右側の補助底板８に固定された２本の頭付きのスライドピン３７とによって幅方向にスライド可能であり、スライド可能な最大寸法を大きな矢印の範囲で規制された状態として組み合わせられている。
【００２８】
同様に、天板６は、左右の補助天板１０と、それらら間の補助天板１１とによって構成されている。中間の補助底板１１は、右側の端縁で右側の補助天板１０に固定され、左側で左側の補助天板１０に対して幅方向（スライド方向）に重なり、補助天板１１のスライド長孔３８と左側の補助天板１０に固定された２本の頭付きのスライドピン３９とによって幅方向にスライド可能であり、スライド可能な最大寸法を大きな矢印の範囲で規制された状態として組み合わせられている。
【００２９】
なお、背板２４が付属している場合、幅変更の前後の大きさに適合する２枚のプラスチック板を用意するか、または図５に示すように、２枚のプラスチック製の補助背板４０、４１の一部を重ね、重なり寸法を変化させ、必要に応じて補助背板４１のスライド長孔４２と補助背板４０に固定された２本の頭付きのスライドピン４３とによって幅変更可能とする。
【００３０】
図４および図５の例では、一例として４個のカートリッジ３を収納するのトレーユニット２から５個のカートリッジ３を収納するトレーユニット２へと変更できるようになっている。したがって、幅変更可能なトレーユニット２であれば、幅寸法の変更によって、４個のカートリッジ３の収納用、または５個のカートリッジ３の収納用として利用できる。幅寸法変更の前後において、４個または５個のカートリッジ３は、底板４（補助底板８、９）に形成されているガイドスリット１４にはまり、位置決めされるように設計されている。もちろん、これらのトレーユニット２を積み重ねるか、側面で横方向に連結することによって、複数一体化した商品の陳列販売装置１として組み合わせられることになる。
【００３１】
つぎに図６ないし図９は、商品ストック用のカートリッジ３を示している。図６および図７のように、カートリッジ３は、上面開放型であり、内部に、たばこ２１を縦長にして前後方向に整列させて収容する。カートリッジ３は、整列状態のたばこ２１を背面から押して前方へ押し出すスライダー１６、スライダー１６を前方へ付勢するスプリング１７を備えている。
【００３２】
スライダー１６は、カートリッジ３の底面１２の案内スリット４７にそって移動自在となっており、スプリング例えば渦巻き状のスプリング１７は、スライダー１６によって保持され、その外側の一端をカートリッジ３の前内壁に係り止めされている。したがって、カートリッジ３の内部に収容されているたばこ２１は、スプリング１７により付勢されているスライダー１６によって常に前方に押し出されている。なお、カートリッジ３の前面に収納商品としてのたばこ２１の銘柄表示ガードなどが挿入できるようになっている。
【００３３】
そして、カートリッジ３の前面の例えば左側底近くに視認窓１５が形成されている。この視認窓１５に関連して、図８および図９にも示すように、カートリッジ３の前側のケース４４内に、スライダー１６に係り合って後方から前方へ移動し、前端に補充マーカー１８を有する移動体１９と、この移動体１９の補充マーカー１８を待機位置から視認窓１５の位置へ案内する案内手段２０とが組み込まれている。図示の例において、案内手段２０は、移動体３７に形成されている円弧状のガイド孔２２と、カートリッジ３のケース４４に固定され、ガイド孔２２の内部に位置するガイドピン２３によって構成されている。
【００３４】
カートリッジ３の内部に充分な数のたばこ２１が収容されているとき、スライダー１６は、後退位置にあるため、移動体１９の動きに関与しない。この状態で移動体１９は、後退し、図９のような位置にあるため、補充マーカー１８は、待機位置にあって、視認窓１５から見えない位置にある。この状態のときに、移動体１９の一端は、図９のように、抑えレバー４６にあたって停止している。
【００３５】
たばこ２１の取り出し（販売）ごとに、スライダー１６は、たばこ２１を前方へ押し出していく。カートリッジ３の内部のたばこ２１の数が少なくなり、補充すべき設定数量、例えば３個になると、図７のように、スライダー１６の底の一部が移動体１９の係合片４５にあたるため、移動体１９は、ガイド孔２２とガイドピン２３とに案内され、図８の点線のように移動するこのため、補充マーカー１８は、待機位置から視認窓１５の位置へと移動し、視認窓１５から前方へ飛び出し、ガイド孔２２の一端をガイドピン２３に当てた状態で停止する。このときにも、移動体１９の一端は、図８のように、抑えレバー４６にあたって停止している。
【００３６】
たばこ２１の取り出しによりスライダー１６がさらに前方へ移動しても、補充マーカー１８は、それ以上前進しない。このため、カートリッジ３の内部のたばこ２１が無くなっても、補充マーカー１８の飛び出し寸法は、不変のままとなっている。このように、補充マーカー１８が視認窓１５から飛び出しているため、設置場所にかかわらず、補充マーカー１８の上下左右からの視認性が維持できる。
【００３７】
ここで販売管理者または店員は、視認窓１５からの補充マーカー１８の突出を視認し、カートリッジ３の内部のスライダー１６を後退させ、カートリッジ３の内部に入るだけのたばこ２１を補充する。スライダー１６の後退によって、移動体１９もスライダー１６とともに後退するため、補充マーカー１８は、図９のように待機位置に復帰し、視認窓１５から見えない位置に移動する。
【産業上の利用可能性】
【００３８】
図示の例において、販売陳列対象の商品は、主としてたばこ２１であるが、商品の陳列販売装置１は、たばこ２１と同じような形態の商品の販売陳列にも利用できる。
【符号の説明】
【００３９】
１  商品の陳列販売装置
２  トレーユニット
３  カートリッジ
４  底板
５  側板
６  天板
７  連結手段
８  補助底板
９  補助底板
１０  補助天板
１１  補助天板
１２  底面
１３  突起
１４  ガイドスリット
１５  視認窓
１６  スライダー
１７  スプリング
１８  補充マーカー
１９  移動体
２０  案内手段
２１  商品としてのたばこ
２２  ガイド孔
２３  ガイドピン
２４  背板
２５  差し込み片
２６  差し込み孔
２７  差し込み孔
２８  台形溝
２９  だるま孔
３０  連結ボルト
３１  連結ナット
３２  ディスプレイ
３３  化粧側板
３４  ガンド突部
３５  ガイド孔部
３６  スライド長孔
３７  スライドピン
３８  スライド長孔
３９  スライドピン
４０  補助背板
４１  補助背板
４２  スライド長孔
４３  スライドピン
４４  ケース
４５  係合片
４６  抑えレバー
４７  案内スリット
【図１】
2013244311.tif 000003
【図２】
2013244311.tif 000004
【図３】
2013244311.tif 000005
【図４】
2013244311.tif 000006
【図５】
2013244311.tif 000007
【図６】
2013244311.tif 000008
【図７】
2013244311.tif 000009
【図８】
2013244311.tif 000010
【図９】
2013244311.tif 000011